(57)【要約】【課題】酸性有機化合物、ホウ素化合物、および２または３個のアミン官能基を含むアミン成分の反応生成物、この反応生成物を含む潤滑剤組成物、この反応生成物の、２−ストローク海洋エンジンおよび４−ストローク海洋エンジン（より好ましくは２−ストローク海洋エンジン）のための、潤滑剤としての使用に関する。【解決手段】少なくとも以下の化合物の反応に起因する反応生成物。・ヒドロカルビル基によって任意に置換されたヒドロキシ安息香酸、・ホウ素化合物、・２または３個のアミン官能基を含む化合物から選ばれたアミン成分であって、少なくとも１つのアミン官能基は少なくとも１つのヒドロカルビル基によって置換されているアミン成分。【選択図】なし【特許請求の範囲】
【請求項１】
少なくとも：
・ヒドロカルビル基によって任意に置換されたヒドロキシ安息香酸、
・ホウ素化合物、
・下記式から選択されたアミン成分
＊  式（ＩＶ）のジ  −  アミン：
Ｒ１ＮＸ−Ｒａ−ＮＺ１Ｚ２  （ＩＶ）
＊  式（Ｖ）のトリアミン：
Ｒ１ＮＸ−Ｒａ−ＮＹ−Ｒｂ−ＮＺ１Ｚ２  （Ｖ）
の反応に起因する反応生成物であって、上記式中
Ｘは、次のものから選ばれた群を表す：水素、アルキル基またはアルケニル基Ｒ２、
Ｙは、次のものから選ばれた群を表す：水素、アルキル基またはアルケニル基Ｒ４、
Ｚ１とＺ２は、次のものから独立して選ばれる：水素、アルキル基またはアルケニル基Ｒ３、
Ｒ１、Ｒ２、Ｒ３およびＲ４は、独立して、１〜４０個の炭素原子を有する、アルキル基およびアルケニル基から選ばれ、
ＲａおよびＲｂは、独立して、１〜２０個の炭素原子を有する、アルキル基およびアルケニル基から選ばれ、
Ｚ１およびＺ２が両方ともアルキル基またはアルケニル基Ｒ３を表わす場合、これらは異なっていてもよい。
【請求項２】
請求項１に記載の反応生成物であって、ヒドロカルビル基により置換されてもよいヒドロキシ安息香酸は、モノ−アルキル（アルケニル）置換サリチル酸、ジ−アルキル（アルケニル）置換サリチル酸、酸官能性カリックスアレーン（特にサリチル酸カリックスアレーン）およびその混合物から選ばれる、反応生成物。
【請求項３】
請求項１または請求項２に記載の反応生成物であって、ヒドロカルビル基によって任意に置換されてもよいヒドロキシ安息香酸化合物は、式（Ｉ）に対応する：
【化１】
2020521862.tif 000014
式中：
Ｒは、１〜５０の炭素原子を有するヒドロカルビル基を表し、Ｒは１つ以上のヘテロ原子を含むことができ、
ａは整数であり、０、１または２を表す。
【請求項４】
請求項３に記載の反応生成物であって、ヒドロカルビル基によって任意に置換されてもよいヒドロキシ安息香酸化合物は、式（ＩＡ）に対応する：
【化２】
2020521862.tif 000015
【請求項５】
請求項４に記載の反応生成物であって、ヒドロキシ安息香酸化合物はサリチル酸である、反応生成物。
【請求項６】
請求項１〜５のうちのいずれか一項に記載の反応生成物であって、ホウ素化合物は下記：
ホウ酸、ホウ酸複合体、三酸化二ホウ素、トリアルキルホウ酸塩（ここでアルキル基は、独立して１〜４つの炭素原子を含む）、Ｃ１−Ｃ１２アルキルボロン酸、Ｃ１−Ｃ１２ジアルキルホウ酸、Ｃ６−Ｃ１２アリールホウ酸、Ｃ６−Ｃ１２ジアリールホウ酸、Ｃ７−Ｃ１２アラルキルホウ酸、Ｃ７−Ｃ１２ジアラルキルホウ酸、または、これらの１つ以上のアルコキシユニットによるアルキル基の置換により由来する化合物から選択される、（有利には、ホウ素化合物はホウ酸である）反応生成物。
【請求項７】
請求項１〜６のうちのいずれか一項に記載の反応生成物であって、アミン成分は式（ＩＶＡ）に対応する化合物から選ばれる、反応生成物。
【化３】
2020521862.tif 000016
ｘ＝２、３、４。
【請求項８】
請求項１〜６のうちのいずれか一項に記載の反応生成物であって、アミン成分は式（ＶＢ）に対応する化合物から選ばれる、反応生成物。
【化４】
2020521862.tif 000017
ｘ＝２、３、４、
ｙ＝２、３、４。
【請求項９】
請求項１〜８のうちのいずれか一項に記載の反応生成物であって、Ｒ１、Ｒ２、Ｒ３およびＲ４は、独立して、１４〜２２の炭素原子（好ましくは１４〜１８の炭素原子、より好ましくは１６〜１８の炭素原子）を有する、直鎖状アルキル基および直鎖状アルケニル基から選ばれる、反応生成物。
【請求項１０】
請求項９に記載の反応生成物であって、Ｒ１、Ｒ２、Ｒ３およびＲ４は、動物性および植物性の油および油脂（獣脂油、やし油およびパーム油など）に由来（好ましくは獣脂油に由来）する、反応生成物。
【請求項１１】
請求項１〜１０のいずれか一項に記載の反応生成物および基油を含む潤滑剤組成物。
【請求項１２】
請求項１〜１０のいずれか一項に記載の反応生成物、または請求項１１に記載の潤滑剤組成物の使用であって、２−ストローク海洋エンジンおよび４−ストローク海洋エンジン（より好ましくは２−ストローク海洋エンジン）を潤滑するための、使用。
【発明の詳細な説明】
【技術分野】
【０００１】
本発明は、酸性有機化合物、ホウ素化合物、および２または３個のアミン官能基を含むアミン成分の反応生成物に関連する。さらに、本発明は、この反応生成物を含む潤滑剤組成物、その製造のための方法およびその用途に向けられる。
【０００２】
潤滑剤の主要な機能のうちの１つは摩擦を減少させることである。しかしながら、潤滑油は、効果的に使用されるために、付加的な特性を必要とする場合が多い。例えば、海洋ディーゼルエンジンなどのような大きなディーゼルエンジン中で使用される潤滑剤は、特別な配慮を要求する操作条件においてしばしば用いられる。
【０００３】
低速の２−ストロークのクロスヘッドエンジンの中で使用される船舶油としては、２つのタイプがある。一方はシリンダーピストンアセンブリの潤滑を保証するシリンダー油であり、他方はシリンダーピストンアセンブリ以外の全ての可動部の潤滑を保証するシステム油である。シリンダーピストンアセンブリ内では、酸性気体を含んでいる燃焼残留物が潤滑油に接している。
【０００４】
酸性ガスは重油の燃焼から形成され；酸性ガスは、主に硫黄酸化物（ＳＯ２、ＳＯ３）であり、これらは、発生後、燃焼ガス中および／または油中に存在する水分と接触して加水分解される。この加水分解により亜硫酸（ＨＳＯ３）、または硫酸（Ｈ２ＳＯ４）が生成される。
【０００５】
ピストンライナーの表面を保護し、かつ過度の腐食摩耗を回避するために、これらの酸を中和しなければならない。それは潤滑剤に含まれる塩基性サイトとの反応によって一般に行われる。
【０００６】
油の中和キャパシティーは、塩基度を特徴とするＢＮ（アルカリ価）によって測定される。ＢＮはＡＳＴＭ  Ｄ−２８９６基準によって測定され、油のグラム当たりに対する水酸化カリウム（potash）のミリグラムによる当量（「ＫＯＨ／ｇのｍｇ」または「ＢＮポイント」とも呼ばれる）として表現される。燃料に含まれる硫黄をすべて中和し、かつ燃焼および加水分解によって硫酸に転化することを可能とするに当たり、ＢＮという基準の尺度を利用することにより、使用される重油の硫黄分に対して、シリンダー油の塩基性を調節することが可能になる。
【０００７】
したがって、重油の硫黄分が高いほど、海洋オイルのＢＮを高くする必要がある。このため、市場では５〜１４０ｍｇＫＯＨ／ｇにわたる様々なＢＮを有する船舶油が存在する。中性清浄剤および／または不溶性金属塩（特に金属炭酸塩）により過塩基性となった清浄剤により、このような塩基度がもたらされる。清浄剤（主として陰イオンのタイプ）は、例えばミセルを形成するサリチル酸塩の金属セッケン、フェネートの金属セッケン、スルホン酸塩の金属セッケン、カルボン酸塩の金属セッケンなどであり、ミセルでは懸濁液中に不溶性金属塩の粒子状物質が維持される。通常の中性清浄剤は、清浄剤１グラム当たり典型的にＫＯＨ１５０ｍｇより小さいＢＮを本質的に有する。そして通常の過塩基性清浄剤は、通常、清浄剤１グラム当たりＫＯＨ１５０〜７００ｍｇのＢＮを本質的に有する。所望のＢＮレベルの関数として潤滑剤中のそれらの質量百分率が固定される。
【０００８】
環境問題の影響により、所定の地域（特に沿岸地区）では、船で使用される重油中の硫黄のレベルを制限するよう要求されている。それにより、ＩＭＯ（国際海事機関）によって発行された規則ＭＡＲＰＯＬ  Ａｎｎｅｘ  ６（船からの大気汚染の予防のための規則）が、２００５年５月に施行された。これにより、重質油の硫黄分４．５％ｗ／ｗをグローバルキャップとし、また、硫黄酸化物エミッションコントロール・エリア（ＳＥＣＡと呼ばれる）が設定されている。これらの地域に入る船は、最大の硫黄分が１．５％ｗ／ｗの重油を使用しなければならず、または、指定された値に従うために硫黄酸化物（ＳＯｘ）放出を制限する他の代替処理を使用しなければならない。記法ｗ／ｗは、それが含まれている重油または潤滑組成物の全重量に対する化合物の重量パーセントを示す。
【０００９】
近年、ＭＥＰＣ（海洋環境保護委員会）は２００８年４月に会合し、ＭＡＲＰＯＬ条約附属書ＶＩを承認した。これらの提案は下記の表中で要約される。それらは、２０１２年から、最大の硫黄分に対する制限が４．５％ｗ／ｗから３．５％ｗ／ｗに低減された世界的な最大含有量をより厳しく扱うシナリオを示す。ＳＥＣＡ（硫黄エミッションコントロール・エリア）は、２０１０年から、最大の許容可能な硫黄分が１．５％ｗ／ｗから１．０％ｗ／ｗへさらに低減されるＥＣＡ（エミッションコントロール・エリア）になり、またＮＯｘと粒子状物質の含量に関係する新しい制限が追加されている。
【００１０】
【表１】
2020521862.tif 000002
【００１１】
大陸間ルートを航海する船は、地域の環境上の制約に応じて異なる重質油を既に使用しており、それにより運転費用を最適化することが可能となる。この状況は、重油の最大の許容可能な硫黄分の最終レベルに関係なく継続するだろう。したがって、現在建築中の大多数のコンテナ船は、一方では高い硫黄分を有する「外洋」重油のために、また、他方では０．１％ｗ／ｗ以下の硫黄を有する「ＳＥＣＡ」重油のために利用される燃料庫タンクを備える。これらの２つのカテゴリーの重油間のスイッチングでは、エンジンの操作条件（特に適切なシリンダー潤滑剤の利用）が適応することが必要となる。
【００１２】
現在、高い硫黄分（３．５％ｗ／ｗ以下）を有する重油が存在する状態で、約７０以下のＢＮを有する海洋用潤滑剤が使用される。低い硫黄分（０．１％ｗ／ｗ）を有する重油が存在する状態で、約４０以下のＢＮを有する海洋用潤滑剤が使用される。これらの２つのケースでは、海洋用潤滑剤である中性および／または過塩基性清浄剤によって提供される塩基性サイトが必要な濃度に到達しているために、十分な中和能力が達成される。しかし、重油のタイプの変更毎に潤滑剤を変更することが必要である。
【００１３】
さらに、これらの潤滑剤の各々には以下の観測に起因する使用上の制限が存在する：低い硫黄分（０．１％ｗ／ｗ）を有する重油が存在する状態で固定の潤滑レベルにおいて高ＢＮシリンダー潤滑剤を使用すると、塩基性サイト（高ＢＮ）の著しい過剰を招き、未使用の過塩基性清浄剤（不溶性金属塩を含む）のミセルが不安定化する危険をはらんでいる。この不安定化により、主としてピストン・クラウン上で、不溶性金属塩（例えば炭酸カルシウム）の堆積物が形成され、ライナー研磨タイプの過度の摩耗の危険性へ繋がる。さらに、低いＢＮシリンダー潤滑剤の使用は、高い硫黄分を有する重油が存在する状態では、全体の中和キャパシティー観点から十分でなく、このように腐食の重要な危険を引き起こす場合がある。
【００１４】
その後、したがって、低速２サイクルエンジンのシリンダー潤滑を最適化するに当たっては、重油およびエンジンの操作条件に適したＢＮを備えた潤滑剤を選択する必要がある。最適化により、エンジン操作の融通が低減し、あるタイプの潤滑剤からの別のタイプへのスイッチングを実行する条件を決定する際には、乗組員側に高度な技術的専門知識が要求される。
【００１５】
実際に、海洋エンジン（特に２ストローク海洋エンジン）の操作条件は、厳格性が増した基準である。従って、直接エンジン（特にエンジンの高温部、セグメントピストンポンプアセンブリなど）に接する潤滑剤は、上昇温度に対する抵抗を保証し、それにより、エンジンの高温部中のデポジットの形成を低減または防ぐことにより、燃料の燃焼中に生成される硫酸をより高度に中和することが保証される。
【００１６】
高濃度硫黄燃料だけでなく低濃度硫黄燃料の双方において使用することができ、硫酸を良好に中和する能力を持っており、優れた耐熱性を維持し、すなわちエンジンの高温部におけるデポジット形成のリスクを低減することができる、海洋用清浄剤についての要望がある。
【００１７】
さらに、高濃度硫黄燃料だけでなく低濃度硫黄燃料の双方において使用することができるＢＮ（顕著にＢＮ  ７０以下）を有し、硫酸を良好に中和する能力を持っており、優れた耐熱性を維持し、すなわちエンジンの高温部におけるデポジット形成のリスクを低減することができる、海洋用潤滑剤についての要望がある。
【００１８】
時間経過（特に使用中に）に対する粘度増加のリスクがなく、またはわずかである、２ストローク海洋エンジン用を含む海洋エンジン用の潤滑剤を持っていることは望ましい。
【００１９】
本発明は、前述の欠点をすべて、または部分的に克服する潤滑剤添加剤を提供することを目的とする。本発明の別の目的は、潤滑剤組成物内での処方を実施するのが簡単な潤滑剤添加剤を提供することである。
【００２０】
本発明の別の目的は、前述の欠点をすべて、または部分的に克服する潤滑剤組成物を提供することである。
【００２１】
本発明の別の目的は、処方を実施するのが簡単な潤滑剤組成物を提供することである。
【００２２】
本発明の別の目的は、海洋エンジン（特に低硫黄燃料および高硫黄燃料の両方と共に使用できる２ストローク海洋エンジン）を潤滑する方法を提供することである。
【００２３】
本発明の別の目的は、海洋エンジン（特に、極低硫黄の燃料と共に使用される２ストローク海洋エンジン）を潤滑する方法を提供することである。
【００２４】
本発明は、海洋エンジン（特に２ストローク海洋エンジン）の高温部中のデポジットの形成を低減する方法を提供することを他の目的とする。
【００２５】
米国２０１５／０２９９６０６は、酸性有機化合物と、ホウ素化合物と、ポリアミン（ポリエチレンイミンなど）と、任意にアルコキシ化アミンおよび／またはアルコキシ化アミドとの反応生成物を含む潤滑油の中で使用することができる、メタルフリー清浄剤および酸化防止添加物を開示する。この文献は、酸性有機化合物と、ホウ素化合物と、少なくとも１つのアミンがヒドロカルビル基によって置換されるポリアミンとの反応生成物を開示してしない。
【００２６】
米国２００５／１７２５４３は、酸性有機化合物とホウ素化合物と塩基性有機化合物との反応生成物を含む組成物、およびその潤滑剤と炭化水素燃料用の清浄剤添加物としての使用を開示する。
【００２７】
欧州  ３  ０７２  ９５１は、潤滑油組成物で使用され、以下の成分を含む洗浄剤組成物を開示している。
−  過塩基性カルシウム・スルフォン酸塩および、
−  次の反応生成物を含む金属フリー低灰清浄剤：
−  酸性有機化合物、
−  ホウ素化合物および、
−  １つ以上のアミンを含むアミン成分。
【００２８】
これらの文献のどれも、酸性有機化合物、ホウ素化合物および以下で定義されるようなポリアミンの反応生成物を開示していない。
【００２９】
米国２０１６／０２８１０１４は、過塩基性カルシウム・スルフォン酸塩および低灰清浄剤を含む潤滑油洗浄剤組成物を開示する。それは金属フリーで、アルキル化サリチル酸、ホウ素化合物およびアミン成分のような酸性有機化合物の反応生成物を含む。
【００３０】
欧州  １  ７８３  １３４は、内燃機関に適用される潤滑油用途の中間〜高ＴＢＮ清浄分散剤添加剤の調製方法を開示する。これらの添加剤は過塩基性アルカリ金属アルキルヒドロキシ安息香酸塩からなる。そのような添加剤は、潤滑油に対する溶解度が低く、この理由のため、４ストロークの低速のエンジン中で主として使用される。
【先行技術文献】
【特許文献】
【００３１】
【特許文献１】米国２０１５／０２９９６０６
【特許文献２】米国２００５／１７２５４３
【特許文献３】欧州  ３  ０７２  ９５１
【特許文献４】米国２０１６／０２８１０１４
【特許文献５】欧州  １  ７８３  １３４
【発明の概要】
【発明が解決しようとする課題】
【００３２】
アルキル化サリチル酸、ホウ素化合物およびアミン成分を組み合わせる添加剤は、良好な耐腐食性および耐摩耗性を提供する。しかしながら、それらの化合物のうちのいくつかについては、潤滑油中の添加剤の量を増加させると、油粘度が増加し、その一方で中和が生じるため、結果として潤滑性能が低下する。他の化合物は、油粘度が増加するのを制御する点では満足できるものの、洗浄力に対する点ではそれほど満足できない。他の化合物は、さらに洗浄能力の点では満足できるが、中和反応中の油粘度増加の点ではそれほど満足できない。
【００３３】
したがって、効果的な耐腐食性および耐摩耗性を同時に提供し、潤滑性能を増強するために良好なレオロジー性を提供し、高洗浄力を提供してデポジットの形成を回避する潤滑剤添加剤が求められている。
【００３４】
本発明の反応生成物は改善された洗浄力および酸化安定性を有利に提供する。更に、反応生成物は、潤滑油に優れた洗浄力および清浄性をもたらし、使用中の油のレオロジー性を劣化させない。反応生成物は、優れた耐腐食性および耐摩耗性を提供する。
【課題を解決するための手段】
【００３５】
本発明は、少なくとも以下の化合物の反応生成物に関する：
・ヒドロカルビル基によって任意に置換されたヒドロキシ安息香酸、
・ホウ素化合物、
・２または３のアミン官能基を含む化合物から選ばれたアミン成分であって、少なくとも１つのアミン官能基は少なくとも１つのヒドロカルビル基によって置換されているアミン成分。
【００３６】
本発明は、前記反応生成物および基油を含む潤滑剤組成物についても包含する。
【００３７】
本発明はまた、２ストローク海洋エンジンおよび４ストローク海洋エンジン（より好ましくは２ストローク海洋エンジン）を潤滑するための反応生成物または潤滑剤組成物の使用についても包含する。
【００３８】
好ましい実施形態によれば、ヒドロカルビル置換ヒドロキシ安息香酸は、モノ−アルキル（アルケニル）置換サリチル酸、ジ−アルキル（アルケニル）置換サリチル酸、酸官能性カリックスアレーン（特にサリチル酸カリックスアレーン）およびその混合物から選ばれる。
【００３９】
より好ましい実施形態によれば、ヒドロカルビル基によって任意に置換されたヒドロキシ安息香酸化合物は、以下の式（Ｉ）により表される：
【００４０】
【化１】
2020521862.tif 000003
【００４１】
式中：
Ｒは、１〜５０の炭素原子を有するヒドロカルビル基を表し、Ｒは１つ以上のヘテロ原子を有していてもよく、ａは整数であり、０、１または２を表す。
【００４２】
好ましい変形例では、式（Ｉ）中、ａは１または２を表す。
【００４３】
別の好ましい変形例では、式（Ｉ）中、ａは０を表す。
【００４４】
さらにより好ましい実施形態において、ヒドロカルビル基によって任意に置換されたヒドロキシ安息香酸化合物は、式（ＩＡ）に対応する：
【００４５】
【化２】
2020521862.tif 000004
【００４６】
好ましい変形例では、式（ＩＡ）中、ａは１または２を表す。
【００４７】
別の変形例では、式（ＩＡ）中、ａは０を表す。
【００４８】
好ましい実施形態によれば、ホウ素化合物は次のもの：ホウ酸、ホウ酸複合体、三酸化二ホウ素、トリアルキルホウ酸塩（アルキル基はその中で１から４の炭素原子）、Ｃ１−Ｃ１２アルキルボロン酸、Ｃ１−Ｃ１２ジアルキルホウ酸、Ｃ６−Ｃ１２アリールホウ酸、Ｃ６−Ｃ１２ジアリールホウ酸、Ｃ７−Ｃ１２アラルキルホウ酸、Ｃ７−Ｃ１２ジアラルキルホウ酸、または１つ以上のアルコキシユニットによってアルキル基が置換されたこれらの誘導体、から選ばれ、有利には、ホウ素化合物はホウ酸である。
【００４９】
好ましい実施形態によれば、アミン成分は２または３個のアミン官能基を含む化合物から選ばれる。また、少なくとも１つのアミン官能基は少なくとも１つのＣ１−Ｃ４０アルキルまたはアルケニル基によって置換される。
【００５０】
好ましい変形例によれば、アミン成分は式（ＩＶ）のジアミンから選ばれる：
Ｒ１ＮＸ−Ｒａ−ＮＺ１Ｚ２  （ＩＶ）
式中Ｘは、水素、アルキル基またはアルケニル基Ｒ２から選ばれる基を表わす。
Ｚ１およびＺ２は、独立して、水素、アルキル基またはアルケニル基Ｒ３から選ばれる。
Ｒ１、Ｒ２およびＲ３は、独立して、１〜４０個の炭素原子を有する、アルキル基およびアルケニル基から選ばれる。
Ｒａは、１〜２０個の炭素原子を有する、アルキル基およびアルケニル基から選ばれ、
Ｚ１およびＺ２が両方ともアルキル基またはアルケニル基Ｒ３を表わす場合、これらは異なっていてもよい。
【００５１】
別の好ましい変形例によれば、アミン成分は式（Ｖ）のトリアミンから選ばれる：
Ｒ１ＮＸ−Ｒａ−ＮＹ−Ｒｂ−ＮＺ１Ｚ２  （Ｖ）
式中
Ｘは、水素、アルキル基またはアルケニル基Ｒ２から選ばれる基を表わす。
Ｙは、水素、アルキル基またはアルケニル基Ｒ４から選ばれた基を表わす。
Ｚ１とＺ２は、独立して、水素、アルキル基またはアルケニル基Ｒ３から選ばれる。
Ｒ１、Ｒ２、Ｒ３およびＲ４は、独立して、１〜４０個の炭素原子を有する、アルキル基およびアルケニル基から選ばれる。ＲａおよびＲｂは、独立して、１〜２０個の炭素原子を有する、アルキル基およびアルケニル基から選ばれる。
Ｚ１およびＺ２が両方ともアルキル基またはアルケニル基Ｒ３を表わす場合、これらは異なっていてもよい。
【００５２】
好ましい実施形態によれば、Ｒ１、Ｒ２、Ｒ３およびＲ４は、独立して、１４〜２２の炭素原子、好ましくは１４〜１８の炭素原子、より好ましくは１６〜１８の炭素原子を有する直鎖状の、アルキル基およびアルケニル基から選ばれる。
【００５３】
より多くの好ましい実施形態によれば、Ｒ１、Ｒ２、Ｒ３およびＲ４は、動物および植物性の油および油脂、例えば、獣脂油、ココナッツ油およびパーム油、好ましくは獣脂油（牛脂油）に由来する。
【発明を実施するための形態】
【００５４】
１つ以上の特性を伴う用語「本質的に〜からなる」とは、明示的にリストされた成分または工程に加えて、発明の製法または材料に、発明の特性および特性に実質的に影響しない成分または工程が含まれ得ることを意味する。
【００５５】
もし明示的に他の方法で述べられない限り、「ＸとＹの間に含まれる」との表現は、境界点を含んでいる。この表現は、記載された範囲がＸとＹの値を含み、およびＸからＹまでのすべての値を含むことを意味する。
【００５６】
「アルキル基」は、直鎖状、分岐鎖状、環状であり得る飽和炭化水素鎖を意味する。
【００５７】
「アルケニル基」は、直鎖状、分岐鎖状、環状であり得、少なくとも１つの不飽和結合（好ましくは炭素炭素二重結合）を含む炭化水素鎖を意味する。
【００５８】
「アリール基」は芳香族炭化水素官能基を意味する。この官能基は単環または多環であり得る。アリール基の例としては、フェニル、ナフタレン、アントラセン、フェナントレンおよびテトラセンが挙げられる。
【００５９】
「アラルキル基」は、アルキル鎖置換基を含む芳香族炭化水素官能基（好ましくは単環式）を意味する。
【００６０】
「ヒドロカルビル基」は、アルキル基、アルケニル基、アリール基、アラルキル基から選択された化合物またはこの化合物のフラグメントを意味し、ヒドロカルビル基はヘテロ原子を含み得る。
【００６１】
［ヒドロキシ安息香酸］
ヒドロキシ安息香酸化合物（任意にヒドロカルビル基によって置換されたヒドロキシ安息香酸化合物）は少なくとも１つの安息香酸フラグメントを含む分子であり、そして芳香環は少なくとも１つの水酸基を有し、少なくとも１つのアルキル基、アルケニル基、アリール基またはアラルキル基を有していてもよい。ヒドロカルビル基が存在する場合、ヒドロカルビル基およびヒドロキシ基は、酸性の官能基に対して、オルト、メタまたはパラ位であってもよく、および互いに、オルト、メタまたはパラ位であってもよい。ヒドロカルビル基は１〜５０の炭素原子を含むことができる。
【００６２】
ヒドロキシ安息香酸化合物としては、サリチル酸（ヒドロキシ−２−安息香酸）、ヒドロキシ−３−安息香酸、ヒドロキシ−４−安息香酸を含み、好ましくはサリチル酸である。
【００６３】
ヒドロカルビル置換ヒドロキシ安息香酸化合物は、非制限的に、モノ−アルキル（アルケニル）置換サリチル酸、ジ−アルキル（アルケニル）置換サリチル酸、酸官能性カリックスアレーン（特にサリチル酸カリックスアレーン）およびその混合物を含んでいる。
【００６４】
カリックスアレーンは、パラ置換され、メチレン基による橋架け（ブリッジ）によって結合され得る複数のフェノール単位からなる大環状化合物である。この環状オリゴマーは、輪を形成し、メチレンブリッジ（−（ＣＨ２）−）または同様のブリッジによって連結している４〜１６のフェノール配列を含む。
【００６５】
ヒドロキシ安息香酸化合物（任意にヒドロカルビル基によって置換されたヒドロキシ安息香酸化合物）は、第１変形例によると、下記の式（Ｉ）に対応し得る：
【００６６】
【化３】
2020521862.tif 000005
【００６７】
式中：
Ｒは、１〜５０の炭素原子を有するヒドロカルビル基を表わし、Ｒは１つ以上のヘテロ原子を含むことができ、
ａは整数であり、ａは０、１または２を表す。
【００６８】
第１変形例では、ａ＝０である。
【００６９】
別の変形例では、ａ＝１か２である。
【００７０】
ａ＝２の場合、２つのヒドロカルビル基は同一または異なっていてもよい。
【００７１】
好ましくはａ＝１である。
【００７２】
式（Ｉ）の中のヒドロカルビル基はアルキル基、アルケニル基、アリール基およびアラルキル基を意味し、これらは１つ以上のヘテロ原子を含んでもよい。
【００７３】
式（Ｉ）の中のヒドロカルビル基は直鎖状、分岐鎖状、または環状であってもよい。
【００７４】
Ｒの中のヘテロ原子はＯ、Ｎ、Ｓから選ぶことができる。例えば、それらは次の１つ以上として存在していてもよい：−ＯＨ、−ＮＨ２または−ＳＨ基、または−Ｏ−、−ＮＨ、−Ｎ＝または−Ｓ−ブリッジ。
【００７５】
好ましくは、Ｒはヘテロ原子を含まない。好ましくは、Ｒは、アルキル基およびアルケニル基から選ばれる。好ましくは、Ｒは、１〜５０の炭素原子を有する、アルキル基またはアルケニル基を表わす。好ましくは、Ｒは直鎖状アルキル基、直鎖状アルケニル基、分岐鎖状アルキル基、および分岐鎖状アルケニル基から選ばれる。さらにより有利には、Ｒは、１〜５０の炭素原子を有する直鎖状アルキル基を表わす。好ましくは、Ｒは、１２〜４０の炭素原子を含み、さらに好ましくは、Ｒは１８〜３０の炭素原子を含む。サリチル酸が市販により入手可能である。
【００７６】
ヒドロカルビル基置換のヒドロキシ安息香酸類は、ＥＰ１  ７８３  １３４に開示された方法によって調製することができる。好ましくは、式（Ｉ）では、−ＯＨおよび−ＣＯＯＨはフェニル環上のオルト位にある。また、式（Ｉ）の分子はサリチル酸または式（ＩＡ）のサリチル酸誘導体である：
【００７７】
【化４】
2020521862.tif 000006
【００７８】
式中、Ｒとａは式（Ｉ）と同じ定義であり、これらの好ましい例は式（Ｉ）での例示と同様である。
【００７９】
ヒドロカルビル基置換サリチル酸は、商品名ＲＤ−２２５およびＳ−２２０としてＣｈｅｍｔｕＲａ社から、商品名ＯＬＯＡ  １６３００、ＯＬＯＡ  １６３０１およびＯＬＯＡ  １６３０５としてＯｒｏｎｉｔｅ社から、または商品名Ｍ７１０１、Ｍ７１０２、Ｍ７１２１およびＭ７１２５として、ｎｆｉｎｅｕｍ社から市販により入手可能である。
【００８０】
第２の変形例では、ヒドロキシ安息香酸化合物（任意にヒドロカルビル基によって置換されたヒドロキシ安息香酸化合物）はカリックスアレーン構造から選ぶことができる。本発明によるカリックスアレーン構造は、環状構造を含んでおり、前記環状構造は、ｍユニットのヒドロカルビル置換ヒドロキシ安息香酸、およびｎユニットの式（ＩＩＩ）のフェノールを含み、これらは互いに連結して環を形成する：
【００８１】
【化５】
2020521862.tif 000007
【００８２】
式中
Ｇ１は、１〜５０の炭素原子を有するヒドロカルビル基を表わす。また、Ｇ１は１つ以上のヘテロ原子を含んでもよく、
ｂは整数であり、ｂは０、１または２を表し、
Ｑは二価架橋基を独立して表わし、
Ｇ２、Ｇ３、Ｇ４およびＧ５は、ＯＨ、Ｈ、または１〜５０の炭素原子を有するヒドロカルビル基から選ばれ、前記ヒドロカルビル基は、Ｇ２、Ｇ３、Ｇ４およびＧ５のうちの１つまたは２つが、ＯＨであるという条件で、１つ以上のヘテロ原子を含むことができ、
ｍとｎは以下を満たす整数である：
ｍは１〜８である、
ｎは少なくとも３である、
ｍ＋ｎは４〜２０である。
【００８３】
一変形例によれば、ｂは０を表す。
別の変形によれば、ｂは１または２を表す。
好ましくは、ｍ＋ｎは５〜１２である。
ｂ＝２の場合、２つのヒドロカルビル基Ｇ１は同一であってもよいし、異なっていてもよい。
【００８４】
式（ＩＩ）および（ＩＩＩ）の中のヒドロカルビル基は、アルキル基、アルケニル基、アリール基およびアラルキル基を意味し、これらは１つ以上のヘテロ原子を含んでもよい。
式（ＩＩ）および（ＩＩＩ）の中のヒドロカルビル基は直鎖状、分岐鎖状、または環状であってもよい。
【００８５】
Ｇ１、Ｇ２、Ｇ３、Ｇ４およびＧ５の中のヘテロ原子は、Ｏ、Ｎ、Ｓから選ぶことができる。例えば、それらは次の１つ以上として存在していてもよい：−ＯＨ、−ＮＨ２または−ＳＨ基、または−Ｏ−、−ＮＨ、−Ｎ＝または−Ｓ−ブリッジ
【００８６】
好ましくは、Ｇ１はアルキル基およびアルケニル基から選ばれる。
好ましくは、Ｇ１は、１〜５０の炭素原子を有する、アルキル基またはアルケニル基を表す。さらにより有利には、Ｇ１は、１〜５０の炭素原子を有する直鎖状アルキル基を表す。
好ましくは、Ｇ１は１２〜４０の炭素原子を含み、さらにより好ましくは、Ｇ１は１８〜３０の炭素原子を含む。
【００８７】
好ましくは、ユニット（ＩＩ）は、下記の式（ＩＩＡ）に対応する構造から選ばれる：
【００８８】
【化６】
2020521862.tif 000008
【００８９】
式中Ｇ１、Ｑおよびｂは式（ＩＩ）の定義と同様であり、これらのパラメーターの好ましい範囲も式（ＩＩ）の範囲と同様である。
【００９０】
好ましくは、式（ＩＩＩ）では、Ｇ５は水酸基である。
【００９１】
好ましくは、Ｇ２、Ｇ３、Ｇ４は、独立して、Ｈ、または１〜５０の炭素原子を有するアルキルまたはアルケニル基を表す。さらに有利に、Ｇ２、Ｇ３、Ｇ４は、独立して、Ｈまたは１〜４０の炭素原子を有する直鎖状アルキル基を表す。
【００９２】
好ましくはＧ２、Ｇ３、Ｇ４は、独立して、Ｈおよび１〜３０の炭素原子を含む直鎖状アルキル基から選ばれ、さらにより好ましくは、それらは、Ｈおよび４〜２５の炭素原子を含む直鎖状アルキル基から選ばれる。
【００９３】
ユニット（ＩＩ）が複数存在する場合、ユニット（ＩＩ）は互いに同一であってもよいし、異なっていてもよい。
【００９４】
複数のユニット（ＩＩＩ）は、カリックスアレーン分子において同一であってもよいし、異なっていてもよい。
【００９５】
複数のユニット（ＩＩ）が環（ｍ＞１）の中に存在する場合、ユニット（ＩＩ）および（ＩＩＩ）は任意に分配される。
【００９６】
Ｑはそれぞれ、−Ｓ−および式−（ＣＨＧ６）ｃ−によって表される基から独立して選ばれてもよく、ここでＧ６は、水素または１〜１０の炭素原子を有するヒドロカルビル基から選ばれ、また、ｃは１から４までの整数である。好ましくは、Ｇ６はそれぞれ、Ｈまたは１〜６つの炭素原子を含むヒドロカルビル基である。また、さらにより好ましくは、Ｇ６はそれぞれＨである。
【００９７】
好ましくは、架橋基Ｑの少なくとも５０％は、式−（ＣＨＧ６）ｃ−によって独立して表される。好ましくは、ｃは１から４までの整数であり、ここで、Ｇ６はそれぞれ、Ｈまたは１〜６つの炭素原子を含んでいるヒドロカルビル基である。また、さらにより好ましくは、Ｇ６はそれぞれＨである。
【００９８】
好ましくは、すべてのＱ基は−（ＣＨＧ６）ｃ−から選択され、ｃは１であり、ここでＧ６はそれぞれ、Ｈまたは１〜６つの炭素原子を含んでいるヒドロカルビル基であり、さらにより好ましくは、Ｇ６はそれぞれＨである。
【００９９】
［ホウ素化合物］
ホウ素化合物は、ホウ酸、ヒドロカルビルボロン酸、ホウ酸エステルおよびヒドロカルビル基ボロン酸エステル、三酸化二ホウ素、ホウ酸複合体から選ばれる。
【０１００】
ホウ素化合物は、例えば、以下の化合物から選ぶことができる：ホウ酸、三酸化二ホウ素、ホウ酸複合体、トリアルキルホウ酸塩（ここでアルキル基は、独立して１〜４つの炭素原子を含む）、Ｃ１−Ｃ１２アルキルボロン酸、Ｃ１−Ｃ１２ジアルキルホウ酸、Ｃ６−Ｃ１２アリールホウ酸、Ｃ６−Ｃ１２ジアリールホウ酸、Ｃ７−Ｃ１２アラルキルホウ酸、Ｃ７−Ｃ１２ジアラルキルホウ酸、または１つ以上のアルコキシユニットによってアルキル基が置換されたこれらの誘導体。
【０１０１】
アルキル基とアルコキシ基は直鎖状、分岐鎖状、または環状であってもよい。
【０１０２】
ホウ酸複合体は１つ以上のアルコール官能性基を含む分子を有する複合体である。好ましくは、ホウ素化合物はホウ酸である。
【０１０３】
［アミン成分］
アミン成分は、２つまたは３つのアミン官能基（ジアミンとトリアミン）を含む化合物から選ばれる。また、少なくとも１つのアミン官能基は少なくとも１つのヒドロカルビル基によって置換される。好ましくは、アミン成分は、２つまたは３つのアミン官能基（ジアミンとトリアミン）を含む化合物から選ばれる。また、少なくとも１つのアミン官能基は少なくとも１つのＣ１−Ｃ４０アルキルまたはアルケニル基によって置換される。
【０１０４】
第１変形例によれば、アミン成分はジアミンから選ばれる。この変形によれば、アミン成分は、モノヒドロカルビルおよびジヒドロカルビルアミノヒドロカルビルアミン（ＩＶ）から有利に選ばれる：
Ｒ１ＮＸ−Ｒａ−ＮＺ１Ｚ２  （ＩＶ）
式中
Ｘは、水素、アルキル基またはアルケニル基Ｒ２から選ばれた基を表し、
Ｚ１とＺ２は、独立して、水素、アルキル基またはアルケニル基Ｒ３から選ばれ、
Ｒ１、Ｒ２およびＲ３は、１〜４０の炭素原子を有する、アルキル基およびアルケニル基から独立して選ばれ、
Ｒａは、１〜２０個の炭素原子を有する、アルキル基およびアルケニル基から選ばれ、
Ｚ１およびＺ２が両方ともアルキル基またはアルケニル基Ｒ３を表わす場合、これらは異なっていてもよい。
【０１０５】
第２変形例によれば、アミン成分はトリアミンから選ばれる。この変形例によれば、アミン成分は、モノヒドロカルビルおよびジヒドロカルビルアミノヒドロカルビルアミノヒドロカルビルアミン（Ｖ）から有利に選ばれる：
Ｒ１ＮＸ−Ｒａ−ＮＹ−Ｒｂ−ＮＺ１Ｚ２  （Ｖ）
式中
Ｘは、水素、アルキル基またはアルケニル基Ｒ２から選ばれる基を表わす。
Ｙは、水素、アルキル基またはアルケニル基Ｒ４から選ばれた基を表わす。
Ｚ１とＺ２は、独立して、水素、アルキル基またはアルケニル基Ｒ３から選ばれる。
Ｒ１、Ｒ２、Ｒ３およびＲ４は、独立して、１〜４０個の炭素原子を有する、アルキル基およびアルケニル基から選ばれる。
ＲａおよびＲｂは、独立して、１〜２０個の炭素原子を有する、アルキル基およびアルケニル基から選ばれる。
Ｚ１およびＺ２が両方ともアルキル基またはアルケニル基Ｒ３を表わす場合、これらは異なっていてもよい。
【０１０６】
下記の説明および好ましい実施形態は、式（ＩＶ）および式（Ｖ）の両方に関連する。
【０１０７】
式（ＩＶ）および（Ｖ）の中の「ヒドロカルビル基」は、好ましくはアルキル基およびアルケニル基（直鎖状、分岐鎖状、環状であってもよい）を意味する。
【０１０８】
好ましくはＲ１、Ｒ２、Ｒ３およびＲ４は、直鎖状アルキル基および直鎖状アルケニル基並びに分岐鎖状アルキル基および分岐鎖状アルケニル基から選ばれる。さらにより好ましくは、Ｒ１、Ｒ２、Ｒ３およびＲ４は直鎖状アルキル基および直鎖状アルケニル基から選ばれる。
好ましくはＲ１、Ｒ２、Ｒ３およびＲ４は、炭素原子４〜３０（さらに好ましくは炭素原子８〜２２）を含む、アルキル基およびアルケニル基から選ばれる。好ましい変形例によると、Ｒ１、Ｒ２、Ｒ３およびＲ４は、独立して、炭素原子１４〜２２（好ましくは炭素原子１４〜１８、より好ましくは炭素原子１６〜１８）を含む直鎖状の、アルキル基およびアルケニル基から選ばれる。
【０１０９】
Ｒ１、Ｒ２、Ｒ３およびＲ４は異なっていてもよいが、より経済的に生産する観点から、ある実施形態では、Ｒ１、Ｒ２、Ｒ３およびＲ４は互いに同じである。Ｒ１、Ｒ２、Ｒ３およびＲ４が同じか否かに関係なく、Ｒ１、Ｒ２、Ｒ３およびＲ４は、好ましくは独立して、化学的に供給される材料に由来してもよいし、天然材料（天然油および脂肪など）に由来してもよい。特に天然材料が使用される場合、Ｒ１、Ｒ２、Ｒ３およびＲ４の各々が様々な鎖長を有するアルキル基とアルケニル基の混合であってもよいことを意味する。好ましくは、Ｒ１、Ｒ２、Ｒ３およびＲ４は、動物性および植物性の油および油脂、例えば、獣脂油および菜種油、ひまわり油、大豆油、亜麻油、オリーブオイル、パーム油、ヒマシ油、ウッド油、トウモロコシ油、スクウォッシュ油、グレープシード油、ホホバ油、ごま油、くるみ油、ヘーゼルナッツ油、アーモンド油、シアバターノキ油、マカダミア油、綿実油、アルファルファ油、ライ麦油、サフラワー油、落花生油、やし油（ココナッツ油）およびコプラ油、そしてその混合物などに由来する。
好ましくは、Ｒ１、Ｒ２、Ｒ３およびＲ４は獣脂油、やし油およびパーム油に由来する。好ましくは、Ｒ１、Ｒ２、Ｒ３およびＲ４基は、獣脂油から得られた脂肪族基を表し、および対応する、脂肪−アルキル（アルキレン）ポリアミンの混合物が形成される。
【０１１０】
Ｒ１、Ｒ２、Ｒ３およびＲ４は動物性および植物性の油および油脂に由来し、動物性および植物性の油および油脂から得られた脂肪酸の還元によって得られた混合脂肪族鎖にＲ１、Ｒ２、Ｒ３およびＲ４が相当することを意味する。
【０１１１】
ある変形例によれば、水素化されたＲ１、Ｒ２、Ｒ３およびＲ４基を使用することは有利であり得る。しかしながら、ある供給材料については、水素化後でさえ、所定量の不飽和結合は残ってもよい。または、Ｒ１、Ｒ２、Ｒ３およびＲ４の原料は不飽和であってもよい。さらに、Ｒ１、Ｒ２、Ｒ３およびＲ４のうちの１つが完全飽和であり、１つが不飽和の化学式（ＩＶ）および（Ｖ）の化合物は、本発明によって使用することができるアミンである。
【０１１２】
好ましくはＲａとＲｂは、直鎖状アルキル基および直鎖状アルケニル基から選ばれる。好ましくは、ＲａとＲｂは、アルキル基から選ばれ、好ましくは直鎖状アルキル基から選ばれる。さらにより好ましくは、ＲａとＲｂは、２〜４つの炭素原子を含む直鎖状アルキル基から選ばれる。さらにより有利には、ＲａとＲｂは以下から選ばれる：
−ＣＨ２−ＣＨ２−、−ＣＨ（ＣＨ３）−ＣＨ２−および−ＣＨ２−ＣＨ２−ＣＨ２−。
【０１１３】
好ましい変形例によれば、ＲａとＲｂは次のものから選ばれる：
−ＣＨ２−ＣＨ２−、および−ＣＨ２−ＣＨ２−ＣＨ２−。
【０１１４】
式（ＩＶ）変形例の好ましい実施形態によれば、アミン成分は式（ＩＶＡ）に対応する化合物から選ばれる：
【０１１５】
【化７】
2020521862.tif 000009
【０１１６】
ここでＲ１とＸは式（ＩＶ）と同様の定義および好ましい実施形態であり、ｘ＝２、３、４である。
【０１１７】
式（Ｖ）変形例の好ましい実施形態によれば、アミン成分は式（ＶＢ）に対応する化合物から選ばれる：
【０１１８】
【化８】
2020521862.tif 000010
【０１１９】
ここでＲ１とＸは式（Ｖ）と同様の定義および好ましい実施形態であり、ｘ＝２、３、４であり、ｙ＝２、３、４である。
【０１２０】
［反応生成物］
ヒドロキシ安息香酸（任意にヒドロカルビル基によって置換されたヒドロキシ安息香酸）、ホウ素化合物、およびアミン成分の反応は、任意の適切な方法で達成することができる。
【０１２１】
例えば、前記反応は、最初に、ヒドロキシ安息香酸（任意にヒドロカルビル基によって置換されたヒドロキシ安息香酸）、およびホウ素化合物を、所望の比率、および適切な溶剤の存在下において組み合わせることにより行なうことができる。
【０１２２】
適切な溶剤は、例えばナフサ、および水およびアルコール（例えば、メタノール、エタノール、プロパノール、ブタノールなど）のような極性溶媒である。
【０１２３】
十分な時間の後、ホウ素化合物が溶解する。その後、アミン成分が、混合物に徐々に加えられて中和が行われ、所望の反応生成物が形成される。
【０１２４】
反応は、約２０−１００℃、例えば、約５０−７５℃の温度で、一般に約０．５〜５時間、より好ましくは１〜４時間、反応媒体を維持することにより有利に行なうことができる。
【０１２５】
反応終了後、溶剤を反応媒体から蒸発させてもよく、好ましくは真空下での蒸留によって溶剤を蒸発させる。代替的に、溶剤はそのまま反応生成物において混合された状態で残っていてもよい。
【０１２６】
粘度をコントロールするために必要に応じて希釈油を加えることができ、特に蒸留による溶剤の除去中に加えてもよい。
【０１２７】
この反応に起因する反応生成物は、化合物の複合混合物（complex mixture of compounds）を含み得る。１つ以上の特定の成分を分離するために、反応生成混合物（反応生成物の混合物）を分離する必要はない。従って、本発明の潤滑油組成物では、反応生成混合物をそのまま使用することができる。
【０１２８】
前記反応はヒドロキシ安息香酸（任意にヒドロカルビル基により置換）、ホウ素化合物およびアミン成分に加えて他の反応剤を用いて達成し得る。
【０１２９】
しかしながら、本発明によれば、好ましくは、反応生成物は、少なくとも１つのヒドロキシ安息香酸（任意にヒドロカルビル基で置換されたものを含む）、少なくとも１つのホウ素化合物および少なくとも１つのアミン成分から本質的になる、反応剤（溶媒を含まない）の混合物の反応に起因する。
【０１３０】
さらにより好ましくは、反応生成物は、少なくとも１つのヒドロキシ安息香酸（任意にヒドロカルビル基で置換されたものを含む）、少なくとも１つのホウ素化合物および少なくとも１つのアミン成分からなる（のみからなる）、反応剤（溶媒を含まない）の混合物の反応に起因する。
【０１３１】
［潤滑剤組成物］
本発明はまた、潤滑油（または潤滑剤）組成物中の添加剤として上記に開示された反応生成物の使用に関する。さらに本発明はまた、前記添加剤を含む潤滑剤組成物に関する。
【０１３２】
好ましくは、潤滑剤組成物は以下を含む：
＊  ６０〜９９．９％の少なくとも１つの基油、
＊  ０．１〜２０％の、少なくとも１つの反応生成物であって、前記反応生成物は少なくともヒドロキシ安息香酸（任意にヒドロカルビル基により置換されたヒドロキシ安息香酸）、ホウ素化合物および上述のアミン成分の反応生成物であり、
これらのパーセントは組成物の全重量に対する重量パーセントによって定義されている。
【０１３３】
さらにより有利には、潤滑剤組成物は以下を含む：
＊  ６０〜９９．９％の少なくとも１つの基油、
＊  ０．１〜１５％の、少なくとも１つの反応生成物であって、前記反応生成物は少なくともヒドロキシ安息香酸（任意にヒドロカルビル基により置換）、ホウ素化合物および上述のアミン成分の反応生成物であり、
これらのパーセントは組成物の全重量に対する重量パーセントによって定義されている。
【０１３４】
［基油］
一般に、本発明による潤滑油組成物は、第１の成分として、「基油」と呼ばれる潤滑性粘度を有する油を含む。使用される基油は、以下の用途のうちのいかなる潤滑油組成物を処方するために使用される、任意の公知か、将来発見される潤滑性粘度を有する油であってもよく、例えば以下の用途が挙げられる。例えばエンジン油、海洋シリンダー油、作動油などの機能性流体、ギヤ油、伝送流体（例えばオートマティックトランスミッション流体、タービン潤滑剤、トランクピストンエンジン油、圧縮機潤滑剤、金属加工潤滑剤）、および他の潤滑油、グリース組成物。
【０１３５】
有利には、本発明による潤滑剤組成物は海洋エンジン潤滑油組成物であり、好ましくは２−ストローク海洋エンジン潤滑油組成物である。
【０１３６】
一般に、本発明において潤滑剤組成物を処方するために使用される「基油」として呼ばれる油は、鉱物油、合成油、または植物由来の油、さらにこれらの混合物であってもよい。一般に使用される鉱物油または合成油は、以下に要約されるＡＰＩ分類の中で定義されるグループの１つに属する：
【０１３７】
【表２】
2020521862.tif 000011
【０１３８】
グループ１のこれらの鉱油は、選択された  、精製工程（溶剤抽出、溶剤脱ろうまたは触媒脱ろう、水素化処理または水素添加）によって得られてもよい。グループ２および３の油は、より厳格な精製工程（例えば水素処理法、水素化分解、水素添加および触媒脱ろうの組み合わせ）によって得られる。グループ４および５の合成基油は、例えばポリアルファオレフィン、ポリブテン、ポリイソブテン、アルキルベンゼンを含んでいる。これらの基油は、単独でまたは混合物として使用されてもよい。鉱油は合成石油と組み合わせてもよい。
【０１３９】
発明の潤滑剤組成物は、ＳＡＥＪ３００分類による、ＳＡＥ−２０、ＳＡＥ−３０、ＳＡＥ−４０、ＳＡＥ−５０またはＳＡＥ−６０の粘度等級を持っている。
等級２０の油は１００℃での動粘度５．６〜９．３ｍｍ２／ｓを有している。
等級３０の油は１００℃での動粘度９．３〜１２．５ｍｍ２／ｓを有している。
等級４０の油は１００℃での動粘度１２．５〜１６．３ｍｍ２／ｓを有している。
等級５０の油は１００℃での動粘度１６．３〜２１．９ｍｍ２／ｓを有している。
等級６０の油は１００℃での動粘度２１．９〜２６．１ｍｍ２／ｓを有している。
【０１４０】
好ましくは、第１の態様および第２の態様による潤滑剤組成物は、シリンダー潤滑剤である。２−ストロークディーゼル機関海洋エンジン用のシリンダー油は粘度等級ＳＡＥ−４０〜ＳＡＥ−６０を有しており、一般に優先的には、等級ＳＡＥ−５０であり、これは１００℃での動粘度１６．３〜２１．９ｍｍ２／ｓと等価である。典型的には、２−ストローク海洋ディーゼルエンジン用のシリンダー潤滑剤の従来の処方は、等級ＳＡＥ−４０〜ＳＡＥ−６０であり、好ましくはＳＡＥ−５０（ＳＡＥ−Ｊ３００分類による）であるとともに海洋エンジンでの使用に適して、鉱物および／または合成起原の潤滑基油（例えばＡＰＩグループ１クラス）を少なくとも５０重量％含む。これらの粘度指数（ＶＩ）は８０〜１２０であり、硫黄含有量は０．０３％を超えており、飽和物含量は９０％未満である。
【０１４１】
２−ストロークディーゼル機関海洋エンジン用のシステム油は、粘度等級ＳＡＥ−２０〜ＳＡＥ−４０（優先的にＳＡＥ−３０）の等級を有しており、これは１００℃での動粘度９．３〜１２．５ｍｍ２／ｓと等価である。これらの粘度は、添加剤および基油の混合により得ることができ、例えば、基油には、グループ１の鉱物基油が含まれ、例えば、中性溶媒（例えば１５０ＮＳ、５００ＮＳまたは６００ＮＳ）系基油およびブライトストックなどの油を含んでいてもよい。添加剤を有する混合物として、選ばれたＳＡＥ等級と互換性をもつ粘度を有する鉱物基油、合成基油または植物起原の基油、これらの基油のいかなる組み合わせも使用されてもよい。
【０１４２】
本発明の潤滑剤組成物中の基油の量は、潤滑剤組成物の全重量に対して、３０〜９０質量％、好ましくは４０〜９０質量％、より好ましくは５０〜９０質量％である。
【０１４３】
本発明の一実施態様では、潤滑剤組成物はＡＳＴＭ  Ｄ−２８９６によって定められるアルカリ価（ＢＮ）として、１グラムの潤滑組成物当たり多くとも５０ミリグラム水酸化カリウム、好ましくは多くとも４０ミリグラム水酸化カリウム、有利には多くとも３０ミリグラム水酸化カリウムを有しており、特に１グラムの潤滑組成物当たり、１０〜４０ミリグラム水酸化カリウム、好ましくは１５〜４０ミリグラム水酸化カリウムを有していてもよい。
【０１４４】
本発明の別の実施態様では、潤滑剤組成物は、ＡＳＴＭ  Ｄ−２８９６によって定められるアルカリ価（ＢＮ）が、少なくとも５０、好ましくは少なくとも６０、より好ましくは少なくとも７０、有利には７０〜１００であってもよい。
【０１４５】
［添加剤］
基油の全体または一部分を、組成物の高温下および低温下での粘度を増加させることが可能な、１つ以上の粘調剤により、または粘度指数（ＶＩ）を改善する添加剤により、置換することが、任意に可能である。
【０１４６】
本発明の潤滑剤組成物は、少なくとも１つの任意の添加剤を含んでいてもよく、前記添加剤は、当業者によって繁用されるものから特に選ばれてもよい。
【０１４７】
一実施形態では、潤滑剤組成物は、中性清浄剤、過塩基性清浄剤、耐摩耗剤、油溶性脂肪アミン、ポリマー、分散剤、消泡剤またはこれらの混合物の中から選ばれた任意の添加剤をさらに含む。
【０１４８】
清浄剤は、長鎖の脂肪親和性の強い炭化水素鎖および親水性の頭部を含む典型的に陰イオンの化合物であり、付随する陽イオンは、典型的にアルカリ金属またはアルカリ土類金属の金属陽イオンである。清浄剤は、カルボン酸、スルホン酸塩、サリチル酸塩、ナフテン酸塩のアルカリ金属塩類か、アルカリ土類金属（特に好ましくはカルシウム、マグネシウム、ナトリウムまたはバリウム）塩類から好ましくは選ばれ、同様にフェネートの前記金属塩からも選ばれる。これらの金属塩類は、清浄剤のアニオン基に対して、ほぼ化学量論的な量で金属を含んでいてもよい。この場合、ある程度塩基度に寄与する場合であっても、非過塩基性清浄剤または「中性」清浄剤と称する。これらの「中性の」清浄剤は、典型的には、清浄剤１ｇ当たり１５０ｍｇＫＯＨ／ｇ未満、１００ｍｇＫＯＨ／ｇ未満、または８０ｍｇＫＯＨ／ｇ未満の、ＡＳＴＭ  Ｄ２８９６によって測定されたＢＮを有している。この種のいわゆる中性清浄剤は、部分的に潤滑組成物のＢＮに寄与してもよい。例えば、中性清浄剤は、アルカリおよびアルカリ土類金属（例えばカルシウム、ナトリウム、マグネシウム、バリウム）の、カルボン酸塩、スルホン酸塩、サリチル酸塩、フェネート、ナフテン酸塩などのように使用される。金属が過剰量（清浄剤のアニオン基に対する化学量論的な量より大きな量）である場合、これらはいわゆる過塩基性清浄剤である。過塩基性清浄剤のＢＮは高く、例えば、清浄剤１ｇ当たり、１５０ｍｇＫＯＨ／ｇ超え、典型的に２００〜７００ｍｇＫＯＨ／ｇ、好ましくは２５０〜４５０ｍｇＫＯＨ／ｇであってもよい。過塩基性清浄剤の特徴を提供する超過中の金属は、油の中で不溶性金属塩類の形態であり、例えば炭酸塩、ヒドロキシド、オキザラート、アセタート、グルタミン酸塩（好ましくは炭酸塩）である。１つの過塩基性清浄剤では、これらの不溶性塩類の金属は、油溶性清浄剤の金属と、同じであってもよく、異なっていてもよい。金属は、カルシウム、マグネシウム、ナトリウムまたはバリウムから好ましくは選ばれる。過塩基性清浄剤は、不溶性金属塩類からなるミセル形であり、油中の可溶金属塩類の形をしている清浄剤によって潤滑組成物中の懸濁液中で維持されている。これらのミセルは１種以上の清浄剤によって安定させられている、１種以上の不溶性金属塩類を含んでいてもよい。単一種の清浄剤可溶性金属塩を含む過塩基性清浄剤は、清浄剤の疎水性鎖の性質によって一般に命名される。したがって、清浄剤が、フェネート、サリチル酸塩、スルホン酸塩、またはナフテン酸塩である場合、過塩基性清浄剤は、それぞれ、フェネート、サリチル酸塩、スルホン酸塩、またはナフテン酸塩と呼ばれる。ミセルが、疎水性鎖の性質によって互いとは異なる複数のタイプの清浄剤を含む場合、過塩基性清浄剤は混合タイプと呼ばれる。過塩基性清浄剤および中性清浄剤は、カルボン酸塩、スルホン酸塩、サリチル酸塩、ナフテン酸塩、フェネート、および少なくともこれらのタイプの清浄剤の２つを組み合わせる混合清浄剤から選ばれてもよい。過塩基性清浄剤および中性清浄剤は、カルシウム、マグネシウム、ナトリウムまたはバリウムから選ばれた金属、好ましくはカルシウムまたはマグネシウムを含む���合物を含んでいる。過塩基性清浄剤は、アルカリおよびアルカリ土類金属の炭酸塩（好ましくは炭酸カルシウム）から選ばれた金属不溶性塩類により、過塩基性であってもよい。潤滑組成物は少なくとも１つの過塩基性清浄剤および少なくとも上に定義されるような中性清浄剤を含んでいてもよい。
【０１４９】
ポリマーは、典型的に２０００〜５００００ダルトン（Ｍｎ）の低分子量ポリマーである。ポリマーは、ＰＩＢ（２０００ダルトン〜）、ポリアクリレートまたはポリメタクリレート（３００００ドルトン〜）、オレフィン共重合体、オレフィンとα‐オレフィンとの共重合体、ＥＰＤＭ、ポリブテン、高分子量ポリα‐オレフィン（１００℃での粘度＞１５０）、水素化スチレンオレフィン共重合体または非水素化スチレンオレフィン共重合体の中から選択されてもよい。
【０１５０】
耐摩耗剤は、これらの表面上で吸着された保護膜の形成により摩擦から表面を保護する。最も一般に使用されるものは亜鉛ジチオホスフェートまたはＤＴＰＺｎである。さらに、このカテゴリーでは、様々なリン化合物、硫黄化合物、窒素化合物、塩素化合物およびホウ素化合物が挙げられる。種々様々の耐摩耗剤があるが、最も広く使用される種類は、金属アルキルチオホスフェート（特に亜鉛アルキルチオホスフェート、より明確には亜鉛ジアルキルジチオホスフェートまたはＤＴＰＺｎ）のような硫黄リン添加剤である。好ましい化合物は、式Ｚｎ（ＳＰ（Ｓ）（ＯＲ１）（ＯＲ２））２（式中Ｒ１とＲ２はアルキル基であり、好ましくは１〜１８の炭素原子のアルキル基）である。ＤＴＰＺｎは、潤滑組成物の全重量に対して約０．１〜２重量％で典型的に存在する。アミンリン酸塩、硫黄化オレフィンを含むポリスルフィドも繁用の耐摩耗剤である。また、潤滑組成物中では、任意に窒素および硫黄タイプの耐摩耗極圧添加剤が存在していてもよく、そのような耐摩耗極圧添加剤としては、例えば金属ジチオカルバマート（特にモリブデンジチオカルバマート）が挙げられる。グリセリンエステルも、耐摩耗剤である。モノオレイン酸塩、ジオレイン酸塩およびトリオレイン酸塩、モノパルミチン酸塩およびモノミリスチン酸塩も使用されてもよい。１つの実施形態では、耐摩耗剤の含有量は、潤滑組成物の全重量に対して０．０１〜６重量％、好ましくは０．１〜４重量％であってもよい。
【０１５１】
分散剤は、潤滑組成物の処方の中で使用される有名な添加剤であり、特に、海洋分野で適用される。分散剤の主要な役割は、懸濁液で粒子状物質を維持することであり、前記粒子状物は最初から存在するか、またはエンジン使用の間に潤滑剤に生じる。それらは立体障害に対して作用することによって凝集を防ぐ。さらに、分散剤は中和反応に対する相乗効果を持っていてもよい。潤滑剤添加剤として典型的に使用される分散剤は、比較的長い炭化水素鎖（一般に５０〜４００の炭素原子を含んで）とともに、極性基を含んでいる。極性基は典型的には少なくとも１つの窒素、酸素またはリンを含んでいる。コハク酸に由来した化合物は、潤滑剤中の分散剤として特に有用である。さらに使用された、特に無水コハク酸とアミンの凝縮によって得られたスクシンイミド、無水コハク酸とアルコールまたは多価アルコールの凝縮によって得られたコハク酸エステルである。その後、これらの化合物は硫黄含有化合物、酸素含有化合物、ホルムアルデヒド、カルボン酸およびホウ素含有化合物、または亜鉛含有化合物を含む、様々な化合物により処理されて、例えば、硼酸化スクシンイミド、または亜鉛閉鎖スクシンイミドを生産することができる。さらに、アルキル基で置換されたフェノール、ホルムアルデヒド、および第一または第二アミンの重縮合によって得られたマンニッヒ塩基は、潤滑剤の中で分散剤として使用される化合物である。本発明の１実施形態では、分散性の含有量は、潤滑組成物の全重量に対して、０．１重量％以上、好ましくは０．５〜２重量％、有利には１〜１．５重量％であってもよい。ＰＩＢスクシンイミド群（例えば、ボロン化または亜鉛閉鎖されたＰＩＢスクシンイミド）から洗濯された分散剤を使用することが可能である。
【０１５２】
他の任意の添加剤は、消泡剤（例えばポリジメチルシロキサン、ポリアクリレートのような極性ポリマー）から選ばれてもよい。さらに、それらは、酸化防止剤および／または防錆剤（例えば有機金属の清浄剤、チアジアゾール）から選ばれてもよい。これらの添加剤は当業者に知られている。これらの添加剤は、潤滑組成物の全重量に対して０．１〜５重量％の含有量で一般に存在する。
【０１５３】
１つの実施形態では、発明による潤滑剤組成物はさらに油溶性脂肪アミンを含んでもよい。
【０１５４】
脂肪アミンは一般式（ＶＩ）である：
Ｒ’１−［（ＮＲ’２）−Ｒ’３］ｎ−ＮＲ’４Ｒ’５，  （ＶＩ）
式中、
＊  Ｒ’１は、直鎖または分岐鎖の、飽和または不飽和の、少なくとも１２の炭素原子、および任意に窒素、硫黄または酸素中で選ばれた少なくとも１つのヘテロ原子を含む炭化水素基を表す。
＊  Ｒ’２、Ｒ’４およびＲ’５は、独立して、水素原子、または直鎖または分岐鎖の、飽和または不飽和の、窒素、硫黄または酸素中で選ばれた少なくとも１つのヘテロ原子を任意に含む炭化水素基を表す。
＊  Ｒ’３は、直鎖または分岐鎖の、飽和または不飽和の、少なくとも１つの炭素原子、および任意に窒素、硫黄または酸素中で選ばれた少なくとも１つのヘテロ原子（好ましくは酸素）を含む炭化水素基を表す。
＊  ｎは１以上の整数であり、好ましくは１〜１０、より好ましくは１〜６に含まれ、特に１、２または３の中で選ばれる。
【０１５５】
好ましくは、脂肪アミンは一般式（ＶＩ）であり、式中：
＊  Ｒ’１は、直鎖または分岐鎖の、飽和または不飽和の、１２〜２２の炭素原子（好ましくは１４〜２２の炭素原子）、および任意に窒素、硫黄または酸素中で選ばれた少なくとも１つのヘテロ原子を含む炭化水素基を表し、および／または
＊  Ｒ’２、Ｒ’４およびＲ’５は独立して、水素原子；直鎖または分岐鎖の、飽和または不飽和の、１２〜２２の炭素原子（好ましくは１４〜２２の炭素原子、より好ましくは１６〜２２の炭素原子）を含む炭化水素基；（Ｒ’６−Ｏ）ｐ−Ｈ基［式中Ｒ’６は、飽和の、直鎖または分岐鎖の、少なくとも２つの炭素原子（好ましくは２〜６の炭素原子、より好ましくは２〜４の炭素原子）を含む炭化水素基であり、ｐは１以上（好ましくは１〜６、より好ましくは１〜４）である］；（Ｒ’７−Ｎ）ｐ−Ｈ２基［式中Ｒ’７は、飽和の、直鎖または分岐鎖の、少なくとも２つの炭素原子（好ましくは２〜６の炭素原子、より好ましくは２〜４の炭素原子）を含む炭化水素基であり、ｐは１以上（好ましくは１〜６、より好ましくは１〜４）である］；および／または
＊  Ｒ’３は、直鎖または分岐鎖の飽和または不飽和の、２〜６の炭素原子（好ましくは２〜４の炭素原子）を含むアルキル基を表す。
【０１５６】
１つの実施形態では、一般式（ＶＩ）の脂肪アミンは、潤滑剤組成物の全重量に関して０．５〜１０重量％（好ましくは０．５〜８重量％）含まれる。
【０１５７】
本発明の潤滑剤組成物において、上記に定義された任意の添加剤は、個別の添加剤として潤滑剤組成物に組み入れることができ、特に基油中の個別に追加により組み入れることができる。しかしながら、さらに、任意の添加剤は、海洋用潤滑剤組成物のための添加剤の濃縮物に統合されてもよい。
【０１５８】
［海洋用潤滑剤を製造する方法］
本発明の開示は、上記に開示された海洋用潤滑剤を製造する方法を提供し、前記方法は、基油と、少なくともヒドロキシ安息香酸（任意にヒドロカルビル基により置換）、ホウ素化合物、および上記に定義されたアミン成分の反応生成物とを混合するステップを含む。
【０１５９】
［エンジンを潤滑するための使用］
本発明は、さらにエンジン（好ましくは海洋エンジン）を潤滑するための、少なくともヒドロキシ安息香酸（任意にヒドロカルビル基で置換されてもよい）、ホウ素化合物、および上記に定義されたアミン成分の反応生成物の使用に関する。具体的には、本発明は、２−ストローク海洋エンジンおよび４−ストローク海洋エンジン（より好ましくは２−ストローク海洋エンジン）を潤滑にするための、少なくともヒドロキシ安息香酸（任意にヒドロカルビル基で置換されてもよい）、ホウ素化合物、および上記に定義されたアミン成分の反応生成物の使用に関する。
【０１６０】
特に、少なくともヒドロキシ安息香酸（任意にヒドロカルビル基で置換されてもよい）、ホウ素化合物、および上記に定義されたアミン成分の反応生成物は、２−ストロークエンジンおよび４−ストローク海洋エンジン（より好ましくは２−ストロークエンジン）を潤滑にするために、潤滑剤組成物中で、シリンダー油またはシステム油として使用するのに適している。
【０１６１】
本発明は、２−ストローク海洋エンジンおよび４−ストローク海洋エンジン（より好ましくは２−ストローク海洋エンジン）を潤滑にするための方法に関しており、前記方法は、上記に開示された海洋用潤滑剤を、前述の海洋エンジンへ適用する工程を含む。特に、潤滑剤は、典型的にパルス潤滑系統によって、または２−ストロークエンジンを潤滑するためのインジェクターからピストンの環パック上に潤滑剤をスプレーすることによって、シリンダ壁に適用される。本発明に係る潤滑剤組成物をシリンダ壁に適用すると、腐食保護を増強するとともに、エンジン清浄度を向上することが観察されている。
【実施例】
【０１６２】
［Ｉ−材料および方法］
−  サリチル酸はシグマ アルドリッチから購入した。
−  ホウ酸はシグマ アルドリッチから購入した。
−  ジアミンはアクゾ ノベルから購入した。
−  基油１：
グループＩ鉱油または密度８９５〜９１５ｋｇ／ｍ３のブライトストック、
−  基油２：
グループＩ鉱油、特に６００ＮＳと称され、ＡＳＴＭ  Ｄ７２７９によって測定された４０℃の粘度が１２０ｃＳｔのもの、
−  消泡剤を含む清浄剤パッケージ
−  Ｃ１８Ｈ３７サリチル酸は以下のプロトコルによって準備された：
サリチル酸（５０.０ｇ）を、触媒量のメタンスルホン酸（０．３等量）とともに１−オクタデセンと組み合わせ、８時間１３０℃で加熱した。
【０１６３】
［ＩＩ−潤滑剤組成物Ｃ１の準備］
１３．８ｇのサリチル酸および３．１ｇのホウ酸の混合物を、外界温度で、撹拌下ヘプタン／水／メタノール（２０／１５／１５）５０ｍＬ中で懸濁させた。前記混合物を７０℃に加熱した。この混合物に、下記式のジアミンを３１．４ｇ添加し７０℃で４時間加熱して溶液を得た。
【０１６４】
【化９】
2020521862.tif 000012
【０１６５】
Ｒ＝直鎖状Ｃ１８Ｈ３７
【０１６６】
その後、溶剤を真空の下で取り除いた。得られた反応生成物Ａ１は、均質で明るい琥珀色の粘性流体であった。
【０１６７】
組成物Ｃ１を表Ｉに示す。表Ｉに開示されたパーセンテージは、重量パーセントに相当する。
【０１６８】
【表３】
2020521862.tif 000013
【国際調査報告】
2020521862.tif 000018
2020521862.tif 000019
2020521862.tif 000020